(57)【要約】【課題】表示パネルに対するキャビネットの大きさを比較的小形化することができる薄型表示装置を提供する。【解決手段】前側に表示面を有する表示パネル１と、該表示パネル１の周縁部を前後で保持する保持枠体２，３と、表示パネル１の後側に配されているバックライト部４と、保持枠体２に被嵌され、枠形をなすキャビネット６とを備え、保持枠体２，３に、該保持枠体２，３の外側周縁と表示パネル１の周縁との間を前後方向に貫通する貫通孔２３，３３を設け、キャビネット６に、後方へ突出し、貫通孔２３，３３に挿入されている柱形部６３を設け、該柱形部６３の螺子孔に雄螺子２０を捩込むことによりキャビネット６をシャーシ４２に取付けた。【選択図】図２
2008310181.tif 000002
【特許請求の範囲】
【請求項１】
前側に表示面を有する表示パネルと、該表示パネルの周縁部を保持する保持枠体と、前記表示パネルの後側に配されているバックライト部と、前記保持枠体に被嵌され、枠形をなすキャビネットとを備える薄型表示装置において、前記保持枠体は、外側周縁と前記表示パネルの周縁との間を前後方向に貫通する貫通孔を有し、前記キャビネットは、後方へ突出し、前記貫通孔に挿入されている柱形部を有し、該柱形部を前記バックライト部に取付ける取付具を備えることを特徴とする薄型表示装置。
【請求項２】
前記バックライト部は前記貫通孔に対応する第２の貫通孔を有し、前記取付具は前記バックライト部の後側から前記第２の貫通孔に挿通され、且つ前記柱形部に螺着されている雄螺子である請求項１記載の薄型表示装置。
【請求項３】
前記表示パネルの周縁部は周方向に離隔して複数のフレキシブルプリント基板が接続されており、前記保持枠体の内部は前記フレキシブルプリント基板夫々に接続されているプリント回路基板を有し、前記貫通孔は前記フレキシブルプリント基板の間の空間が前後に開放される位置に開設してある請求項１又は２記載の薄型表示装置。
【発明の詳細な説明】
【技術分野】
【０００１】
本発明は液晶テレビジョン等の薄型表示装置に関する。
【背景技術】
【０００２】
液晶テレビジョン等の薄型表示装置は、前側に表示面を有し直方体をなす表示パネルと、該表示パネルの周縁部を保持する保持枠体と、前記表示パネルの後側に配されているバックライト部と、前記保持枠体に被嵌され、枠形をなすキャビネットと、前記バックライト部の後側を被覆するカバー体とを備える（例えば、特許文献１参照）。
【０００３】
表示パネルの周縁部には、電子部品が実装されている複数のフレキシブルプリント基板が周方向に離隔して接続されている。
保持枠体は、表示パネルの周縁部前面に対向する環板部、及び該環板部の外縁から後方へ延出されている角筒部を有する前側の保持枠体と、表示パネルの周縁部後面に対向する環板部、及び該環板部の外縁から後方へ延出されている角筒部を有する後側の保持枠体との周方向複数箇所が雄螺子で結合されることにより表示パネルの周縁部を前後で挾着している。また、前側及び後側の保持枠体の環板部間にフレキシブルプリント基板上の電子部品が配され、前記フレキシブルプリント基板の夫々に接続されているプリント回路基板が後側の保持枠体の角筒部に取付けられている。このため、前側及び後側の保持枠体は表示パネルより全体的に大形に形成されている。
【０００４】
バックライト部は上下に離隔して並置されている複数のランプと、該ランプを支持するシャーシとを有し、該シャーシの周縁部にキャビネット及びカバー体が取付けられている。
キャビネットは、前側の保持枠体の環板部を被覆する装飾環板部、及び該装飾環板部の外縁から後方へ延出され、保持枠体より大形の角筒部と、該角筒部の内側で、装飾環板部の外縁部から後方へ延出されている複数の筒形ボスとを有し、該筒形ボス内に捩込まれる雄螺子により前記バックライト部に取付けられている。
【０００５】
また、表示パネル、該表示パネルの周縁部を前後で保持した保持枠体、及び前記表示パネルの後側に取付けられているバックライト部により形成された液晶モジュールと、該液晶モジュールを支持する支持フレームと、前記保持枠体に被嵌され、枠形をなすキャビネットと、前記液晶モジュール及び支持フレームの後側を被覆するカバー体とを備える液晶表示装置において、前記液晶モジュールを支持フレームに取付ける取付部を、前記保持枠体の内側に配することにより、表示パネルに対するキャビネットの大きさを小形化できるように構成された薄型表示装置も知られている（例えば、特許文献２参照）。
【特許文献１】特開２００６−２１５４９２号公報
【特許文献２】特開２００４−２９１８６号公報
【発明の開示】
【発明が解決しようとする課題】
【０００６】
ところが、特許文献１のように構成された従来の薄型表示装置は、キャビネットの外側周縁と保持枠体の外側周縁との間に、キャビネットをバックライト部に取付けるための筒形ボスが設けられているため、表示パネルに対するキャビネットの大きさを小形化することができず、改善策が要望されていた。
【０００７】
また、特許文献２のように構成された薄型表示装置にあっては、液晶モジュールの取付部が保持枠体の内側に配されているため、液晶モジュールの取付部に影響されることなく、キャビネットを小形化することは可能であるが、キャビネットを取付けるための取付部が別に必要であるため、キャビネットの小形化が制限され、僅かな小形化に留まる。
【０００８】
本発明は、表示パネルの周縁部を保持する保持枠体の外側周縁と表示パネルの周縁との間には、表示パネルの周縁部に接続され、電子部品が実装されているフレキシブルプリント基板等の部品を配するための空間が設けられている点に着目し、この空間を利用してキャビネットを取付け可能としたものであり、主たる目的は表示パネルに対するキャビネットの大きさを比較的小形化することができる薄型表示装置を提供することにある。
【課題を解決するための手段】
【０００９】
本発明に係る薄型表示装置は、前側に表示面を有する表示パネルと、該表示パネルの周縁部を保持する保持枠体と、前記表示パネルの後側に配されているバックライト部と、前記保持枠体に被嵌され、枠形をなすキャビネットとを備える薄型表示装置において、前記保持枠体は、外側周縁と前記表示パネルの周縁との間を前後方向に貫通する貫通孔を有し、前記キャビネットは、後方へ突出し、前記貫通孔に挿入されている柱形部を有し、該柱形部を前記バックライト部に取付ける取付具を備えることを特徴とする。
【００１０】
この発明にあっては、表示パネルの周縁部を保持する保持枠体の外側周縁との間の貫通孔に、キャビネット取付用の柱形部が挿入されているため、キャビネット取付用の柱形部に制約されることなくキャビネットを小形化することができ、表示パネルに対するキャビネットの大きさを比較的小形化することができる。従って、キャビネットの成形用材料を低減でき、キャビネットのコスト、ひいては薄型表示装置のコストを低減できる。また、表示パネルに対する薄型表示装置全体を小形化できるため、薄型表示装置の梱包箱を小形化でき、梱包材料も低減でき、薄型表示装置のコストをより一層低減できる。
【００１１】
また、本発明に係る薄型表示装置は、前記バックライト部は前記貫通孔に対応する第２の貫通孔を有し、前記取付具は前記バックライト部の後側から前記第２の貫通孔に挿通され、且つ前記柱形部に螺着されている雄螺子であることが好ましい。
この発明にあっては、表示パネルの前方からキャビネットを被嵌する際、柱形部を貫通孔に挿入することができ、また、雄螺子をバックライト部の後方から第２の貫通孔に挿通することにより、該雄螺子を前記柱形部に螺着することができるため、キャビネットの取付作業性を高めることができる。
【００１２】
また、本発明に係る薄型表示装置は、前記表示パネルの周縁部は周方向に離隔して複数のフレキシブルプリント基板が接続されており、前記保持枠体の内部は前記フレキシブルプリント基板夫々に接続されているプリント回路基板を有し、前記貫通孔は前記フレキシブルプリント基板の間の空間が前後に開放される位置に開設してあることが好ましい。
この発明にあっては、フレキシブルプリント基板等の部品を配するために表示パネルより全体的に大形に形成される保持枠体内で、前記フレキシブルプリント基板等の部品が配されていない空間に、キャビネット取付用の柱形部を配することができるため、既存の保持枠体に貫通孔を開設することによりキャビネットをバックライト部に取付けることができる。
【発明の効果】
【００１３】
本発明によれば、表示パネルの周縁部を保持する保持枠体の外側周縁との間の貫通孔に、キャビネット取付用の柱形部が挿入されているため、キャビネット取付用の柱形部に制約されることなくキャビネットを小形化することができ、表示パネルに対するキャビネットの大きさを比較的小形化することができ、薄型表示装置のコストを低減できる。
【発明を実施するための最良の形態】
【００１４】
以下本発明をその実施の形態を示す図面に基づいて詳述する。
実施の形態１
図１は本発明に係る薄型表示装置の構成を示す断面図、図２は薄型表示装置の要部の構成を示す拡大断面図、図３は表示パネルの一部を拡大した斜視図、図４は薄型表示装置の構成を示す分解した正面側斜視図、図５は薄型表示装置の構成を示す分解した背面側斜視図である。
【００１５】
この薄型表示装置はテレビ画像を表示する表示面１ａを前側に有する表示パネル１と、該表示パネル１の周縁部を前後で保持する保持枠体２，３と、表示パネル１の後側に配されているバックライト部４と、該バックライト部４のランプ４１及び表示パネル１の間に配されている光学シート５と、保持枠体２，３に被嵌され、枠形をなすキャビネット６と、バックライト部４の後側を被覆するカバー体７とを備える液晶テレビジョン、換言すれば液晶表示装置である。
【００１６】
表示パネル１は略直方体をなし、該表示パネル１の上縁部前面及び下縁部前面には、図３に示すように電子部品８が実装されている複数のフレキシブルプリント基板９の一端が前記上縁部及び下縁部の長手方向（表示パネル１の周方向）に離隔して接続されている（図２参照）。
【００１７】
表示パネル１の前側に配されている前側の保持枠体２は、表示パネル１の周縁部前面に対向する矩形の環板部２１、及び該環板部２１の外縁から後方へ延出されている角筒部２２を有する。環板部２１の内縁及び外縁間には前後に変位する段部２１ａが形成され、環板部２１の剛性を高めてある。また、環板部２１の内縁側後面には表示パネル１の周縁部を弾性的に受止める弾性体１０が設けられている。
【００１８】
表示パネル１の後側に配されている後側の保持枠体３は、表示パネル１の周縁部後面に対向する矩形の環板部３１、及び該環板部３１の外縁から後方へ延出されている角筒部３２を有し、環板部３１の内縁側前面には表示パネル１の周縁部を弾性的に受止める弾性体１１が設けられており、内縁側後面には光学シート５の周縁部を弾性的に受止める弾性体１２が設けられている。
【００１９】
角筒部３２の上壁外面及び下壁外面にはフレキシブルプリント基板９夫々の他端に接続されているプリント回路基板１３が取付けられ、図２に示すように環板部２１，３１の上壁間及び下壁間にフレキシブルプリント基板９が配されている。角筒部３２の両側壁外面にはプリント回路基板１３が取付けられていないため、環板部２１，３１のプリント回路基板１３がある上壁及び下壁の内縁及び外縁間は、プリント回路基板１３がない両側壁の内縁及び外縁間の寸法よりもプリント回路基板１３に対応した寸法だけ広幅に形成されている。
【００２０】
このように表示パネル１の前後に配された前側及び後側の保持枠体２，３の環板部２１，３１には、表示パネル１の周縁より外側から前後に貫通する複数の貫通孔２３，３３が周方向に離隔して開設されている。この貫通孔２３，３３はフレキシブルプリント基板９を回避した位置に開設されている。即ち、環板部２１，３１の上壁及び下壁で隣合うフレキシブルプリント基板９，９の間及びフレキシブルプリント基板９の側方に貫通孔２３，３３が開設されている。また、前側及び後側の保持枠体２，３は、環板部２１，３１の複数の周方向位置において雄螺子１４により結合されており、また、結合された前側及び後側の保持枠体２，３は、環板部２１，３１の複数の周方向位置において雄螺子１５によりバックライト部４のシャーシ４２に取付けられている。
【００２１】
バックライト部４は、複数本が縦に並置されている円筒形をなすランプ４１と、該ランプ４１を収容支持し、且つ光学シート５の周縁部を支持する箱形をなすシャーシ４２と、シャーシ４２の内側に保持され、光学シート５の周縁部を受止めるシート受体４３と、シャーシ４２の後壁に沿って配置され、シャーシ４２内に収容されているランプ４１が発光した光をシャーシ４２の開放側へ反射させる反射シート４４とを備え、シャーシ４２の後壁に回路基板等の電気部品１６が取付けられている。
【００２２】
ランプ４１は両端部に電極を有する冷陰極管であり、シャーシ４２内の両側に並設された凹形保持部に両端部が保持され、また、中間部がランプクリップ１７によりシャーシ４２の後壁に保持されている。
【００２３】
シャーシ４２は略直方体をなし、前側が開放されている箱部４２ａと、該箱部４２ａの周壁端縁から光学シート５のシート面に沿って外方へ延出され、シート受体４３の一部及び保持枠体３を受止める受止部４２ｂと、該受止部４２ｂの端縁から後方へ延出された補強壁４２ｃとを有し、貫通孔２３，３３に対応する第２の貫通孔４５が受止部４２ｂ及びシート受体４３に開設され、カバー体取付用の複数の取付孔４６が後壁に開設されている。
【００２４】
シート受体４３は後壁に取付られている取付部４３ａと、該取付部４３ａの端縁から前方へ立上がる立上部４３ｂと、該立上部４３ｂの端縁から光学シート５のシート面に沿って外方へ延出されている受板部４３ｃとを有する断面略コ字形をなし、受止部４２ｂ及び環板部３１の間に受板部４３ｃが挾着され、第２の貫通孔４５が受板部４３ｃに開設されている。
【００２５】
キャビネット６は、前側の保持枠体２の環板部２１を被覆する装飾環板部６１、及び該装飾環板部６１の外縁から後方へ延出され、保持枠体２の周縁部を被覆する角筒部６２と、装飾環板部６１の内側から後方へ突出し、貫通孔２３，３３に挿入されている複数の柱形部６３とを有し、合成樹脂により一体に成形されている。柱形部６３は略円筒形をなし、内側に螺子孔が設けられており、該螺子孔に捩込まれる取付具としての雄螺子２０により柱形部６３がシャーシ４２の受止部４２ｂに取付けられている。また、装飾環板部６１の内縁側内面には不織布帯１８が貼付けられている。尚、キャビネット６は、装飾環板部６１の下壁の外縁に連なるスピーカ支持部６４が一体に設けられており、該スピーカ支持部６４の後側にスピーカ３０が取付けられている。
【００２６】
カバー体７は電気部品１６等を覆う皿形をなし、前側の開放部が角筒部６２の後端部内側に嵌入されるように構成されている。また、板壁部には前方へ突出している筒形ボス７１が取付孔４６に対応して設けられており、該筒形ボス７１に挿通する雄螺子１９が取付孔４６に捩込まれることにより、カバー体７がシャーシ４２に取付けられている。
【００２７】
以上のように構成された薄型表示装置の組立ては、開放縁が上向となるように作業台に載置されたシャーシ４２内に反射シート４４及びランプ４１を組込み、光学シート５をシート受体４３に載置して支持した後、表示パネル１を保持している保持枠体２，３が光学シート５上に載置される。
【００２８】
表示パネル１及び保持枠体２，３の組立は、環板部３１の前面が上向となるように作業台に載置された後側の保持枠体３の環板部３１上に、複数のフレキシブルプリント基板９が接続されている表示パネル１が載置され、フレキシブルプリント基板９に接続されているプリント回路基板１３が角筒部３２の外面に取付けられた後、前側の保持枠体２の環板部２１が表示パネル１の周縁部に載置され、雄螺子１４により環板部２１が環板部３１に取付けられ、前側及び後側の保持枠体２，３が表示パネル１を挾着しているパネルモジュールが形成される。
【００２９】
このように組立られたパネルモジュールはシート受体４３上に載置され、雄螺子１５によりシャーシ４２の受止部４２ｂに取付けられ、パネルモジュールがバックライト部４に取付けられる。
【００３０】
しかる後、バックライト部４及びパネルモジュールが起立され、この起立状態が図示しないスタンドにより維持される。この起立状態でシャーシ４２の後壁に電気部品１６が取付けられた後、表示パネル１の前方からキャビネット６が前側の保持枠体２に被嵌されるとともに該キャビネット６の柱形部６３が保持枠体２，３の貫通孔２３，３３に挿入され、シャーシ４２の後方から雄螺子２０を第２の貫通孔４５に挿通し、該雄螺子２０を柱形部６３の螺子孔に捩込むことによりキャビネット６をシャーシ４２に取付けることができる。
【００３１】
次に、シャーシ４２の後方からカバー体７がバックライト部４に被嵌され、カバー体７の後方から雄螺子１９を筒形ボス７１に挿通し、該雄螺子１９をシャーシ４２の取付孔４６に捩込むことにより、カバー体７をシャーシ４２に取付ける。
【００３２】
以上のように組立てられた薄型表示装置は、表示パネル１の周縁部を保持する保持枠体２，３の環板部２１，３１の上壁及び下壁に前後に貫通する貫通孔２３，３３が開設され、該貫通孔２３，３３にキャビネット６の柱形部６３が挿入され、該柱形部６３に捩込まれた雄螺子２０によりキャビネット６をバックライト部４に取付けてあるため、表示パネル１に対するキャビネット６の大きさを比較的小形化することができる。
【００３３】
実施の形態２
図６は薄型表示装置の他の構成を示す要部の拡大断面図である。この薄型表示装置はキャビネット６の柱形部６３、及びシャーシ４２の第２の貫通孔４５と対応する筒形ボス７２をカバー体７に設け、柱形部６３に捩込む雄螺子２０によりキャビネット６及びカバー体７をバックライト部４のシャーシ４２に取付けたものである。
【００３４】
この薄型表示装置にあっては、カバー体７の後方から雄螺子２０を筒形ボス７２及び第２の貫通孔４５に挿通し、該雄螺子２０を柱形部６３の螺子孔に捩込むことにより、キャビネット６及びカバー体７をシャーシ４２に取付けることができ、取付構造、及び組立作業性を向上することができる。
その他の構成及び作用は実施の形態１と同様であるため、同様の部品については同じ符号を付し、その詳細な説明及び作用効果の説明を省略する。
【００３５】
尚、以上説明した実施の形態では螺子孔を有する柱形部６３を設け、螺子孔に雄螺子２０を捩込むことにより柱形部６３をシャーシ４２に取付けるように構成したが、その他、柱形部６３の端末から後方へ突出し、第２の貫通孔４５に挿通される凸部を柱形部６３と一体に設け、該凸部の先端をカシメることにより柱形部６３をシャーシ４２に取付けるように構成してもよいし、また、第２の貫通孔４５に嵌入することにより第２の貫通孔４５周りに係止される係止部を柱形部６３の端末部に設ける構成としてもよく、柱形部６３をシャーシ４２に取付ける手段は特に制限されない。
【図面の簡単な説明】
【００３６】
【図１】本発明に係る薄型表示装置の構成を示す断面図である。
【図２】本発明に係る薄型表示装置の要部の構成を示す拡大断面図である。
【図３】本発明に係る薄型表示装置の表示パネルの一部を拡大した斜視図である。
【図４】本発明に係る薄型表示装置の構成を示す分解した正面側斜視図である。
【図５】本発明に係る薄型表示装置の構成を示す分解した背面側斜視図である。
【図６】本発明に係る薄型表示装置の他の構成を示す要部の拡大断面図である。
【符号の説明】
【００３７】
１    表示パネル
２，３  保持枠体
２３，３３  貫通孔
４    バックライト部
４５  第２の貫通孔
６    キャビネット
６３  柱形部
９    フレキシブルプリント基板
１３  プリント回路基板
２０  雄螺子（取付具）
【図１】
2008310181.tif 000003
【図２】
2008310181.tif 000004
【図３】
2008310181.tif 000005
【図４】
2008310181.tif 000006
【図５】
2008310181.tif 000007
【図６】
2008310181.tif 000008